(57)【要約】  本発明は、締結ユニット（１００）に関し、特に、呼吸マスクまたは呼吸フードの使用者に、呼吸に適した空気を供給することを目的とするモジュールのための締結ユニット、およびそのようなモジュールに関する。前記締結ユニットは、ある１つのモジュールを別のモジュールに対して取り付けるために設計され、別のモジュールに組み付けるための第１構成部材（１）および前記モジュールに組み付けるための第２構成部材（２）を有し、前記第２構成部材（２）は、前記第１構成部材（１）を用いて、前記第１構成部材（１）に対して、所定の角度で回動可能であり、第１サブコンポーネント（１０）および第２サブコンポーネント（２０）は、定められた角度の範囲内で、複数の位置において、互いに係合可能であることを特徴とする。
2017534310.tif 000002
【特許請求の範囲】
【請求項１】
締結ユニット（１００）であって、１つのモジュールを別のモジュールに対して取り付けるように設計され、前記別のモジュールに組み付けるための第１構成部材（１）と前記モジュールに組み付けるための第２構成部材（２）とを有し、前記第１構成部材（１）に取り付けた前記第２構成部材（２）は、前記第１構成部材（１）に対して、所定の角度で回動可能であり、第１サブコンポーネント（１０）と第２サブコンポーネント（２０）とが、前記所定の角度の範囲内で複数の位置において互いに係合可能であることを特徴とする、締結ユニット（１００）。
【請求項２】
前記第１構成部材（１）は、中央貫通孔（１１）が貫通している第１基材（１０）を備え、前記第１基材（１０）は、前記第２構成部材（２）と向き合うように当該第１基材（１０）の表面に配置される止め具（１４）を備えることを特徴する、請求項１に記載の締結ユニット（１００）。
【請求項３】
前記第２構成部材（２）は、第２基材（２０）と、前記第２基材（２０）を貫通し、前記中央貫通孔（１１）に挿入可能な第１中空突出部（２１）と、を備え、第２突出部（２２）が前記第１突出部（２１）を取り囲み、前記第２突出部（２２）は第１部分（２２１）と第２部分（２２２）とを備え、前記第１部分の内周壁が前記第１突出部の外周壁と向き合い、前記第２部分の内周壁と前記第１突出部の外周壁とによって、前記止め具（１４）のガイド溝（２５）を画定し、前記第１部分（２２１）と、前記第２部分（２２２）と、前記第１突出部（２１）と、前記止め具（１４）とは、前記第２構成部材（２）が前記第１構成部材（１）に対し、所定の角度で回動できるように組み付けられることを特徴とする、請求項２に記載の締結ユニット。
【請求項４】
前記第１構成部材（１）は、少なくとも１つのロック溝（１５）を備え、前記止め具（１４）は、前記第１基材（１０）の前記ロック溝（１５）と同一の表面に配置されることを特徴とする、請求項２に記載の締結ユニット（１００）。
【請求項５】
前記第２構成部材（２）を所定の係合位置にロックするために、前記第２構成部材（２）は、前記少なくとも１つのロック溝（１５）に挿入可能な少なくとも１つのロックピン（２３）を備えることを特徴とする、請求項４に記載の締結ユニット（１００）。
【請求項６】
複数のロック溝（１５）が対になって配置され、好ましくは、前記中央貫通孔（１１）の中心軸を中心に対称に配置されることを特徴とする、請求項４に記載の締結ユニット（１００）。
【請求項７】
前記第２構成部材（２）を所定の係合位置にロックするために、前記第２構成部材（２）は、ロック溝（１５）のそれぞれの対に挿入可能な２本のロックピン（２３）を備えることを特徴とする、請求項６に記載の締結ユニット（１００）。
【請求項８】
前記第１突出部（２１）が前記第２突出部（２２）よりも高く、前記第１突出部の一部のみが前記中央貫通孔（１１）と係合可能であることを特徴とする、請求項３に記載の締結ユニット（１００）。
【請求項９】
前記第１構成部材（１）は、ほぼ円筒形状であることを特徴とする、請求項２に記載の締結ユニット（１００）。
【請求項１０】
第１頭部および第１中空ねじ延長部を有する第１ねじ（３）と、ばね（４）と、第２頭部および中空ねじ延長部を有する第２ねじ（５）とを備え、前記第１中空ねじ延長部は、第２中空ねじ延長部を収容可能であり、前記ばね（４）は、前記第１中空ねじ延長部にスライドして装着できることを特徴とする、請求項３に記載の締結ユニット（１００）。
【請求項１１】
前記第１ねじ（３）を、前記第１構成部材（１）が配置された側から、前記中央貫通孔（１１）、続いて前記第１突出部の中空部分に挿入し、次いで、前記ばね（４）および前記第２ねじ（５）を、組み付けられたユニットとして、前記第２構成部材（２）が配置された側から、前記第１突出部（２１）の中空部分に挿入して前記第１ねじ（３）とともに組み付けることを特徴とする、請求項１０に記載の締結ユニット（１００）。
【請求項１２】
前記第２構成部材（２）は、前記モジュール（１）に接続可能な、少なくとも１つの締結部（２４）を備えることを特徴する、請求項３に記載の締結ユニット（１００）。
【請求項１３】
第３プロファイルおよび第４プロファイルが設けられ、前記第３プロファイルは、前記第１突出部（２１）が配置される表面に位置し、かつ前記第４プロファイルは、異なる基材上で、前記第１突出部（２１）と反対側に位置することを特徴とする、請求項１２に記載の締結ユニット（１００）。
【請求項１４】
前記第２構成部材（２）は、モジュール（１）の締結部を受け入れるための、少なくとも１つの締結孔を備え、前記締結孔は、前記第２基材（２０）を貫通することを特徴とする、請求項３に記載の締結ユニット（１００）。
【請求項１５】
前記第４プロファイルは、前記モジュール（１）の前記締結孔に挿入可能であり、前記第４プロファイルの中空部分および前記第３プロファイルの中空部分にねじが挿入可能であり、前記ねじがナットを用いて取り付けられることを特徴とする、請求項１３または１４に記載の締結ユニット（１００）。
【請求項１６】
前記少なくとも１つの締結部が、第１締結部分と第２締結部分とを備え、前記第１締結部分は、前記第２構成部材（２）の上端部に配置され、前記第２締結部分は、前記第２構成部材（２）の下端部に配置されることを特徴とする、請求項１５に記載の締結ユニット。
【請求項１７】
前記第１構成部材（１）は、前記中央貫通孔（１１）を囲む枠（１２）を備えることを特徴する、請求項１０に記載の締結ユニット（１００）。
【請求項１８】
前記枠（１２）は、六角形の形状を有することを特徴とする、請求項１７に記載の締結ユニット（１００）。
【請求項１９】
前記第１ねじ（３）の前記頭部は、前記枠（１２）の内側形状と一致する外形を有することを特徴とする、請求項１７または１８に記載の締結ユニット（１００）。
【請求項２０】
前記第１ねじ（３）の前記頭部は、六角形の外形を備えることを特徴とする、請求項１８および１９に記載の締結ユニット（１００）。
【請求項２１】
前記第１ねじの前記頭部は、前記枠（１２）の六角形の内側形状と一致する、円形の外形を有することを特徴とする、請求項１７および１９に記載の締結ユニット。
【請求項２２】
前記第１構成部材（１）は、少なくとも１つの止め具（１４）を備えることを特徴する、請求項１〜２１のいずれか１項に記載の締結ユニット（１００）。
【請求項２３】
前記締結ユニット（１００）は、少なくとも１つの摺動路を介してアダプタ（４２）に接続されることを特徴とする、請求項２２に記載の締結ユニット（１００）。
【請求項２４】
前記第１構成部材（１）は、前記アダプタ（４２）と相互に作用する、少なくとも１つの、外向きに突出する突出部（１３，１６）を備えることを特徴とする、請求項２３に記載の締結ユニット（１００）。
【請求項２５】
前記所定の角度は、１８０°未満であることを特徴とする、請求項１に記載の締結ユニット（１００）。
【請求項２６】
前記所定の角度は、２２．５°と−２２．５°のいずれかまたは両方、および／または４５°と−４５°のいずれかまたは両方であることを特徴とする、請求項２５に記載の締結ユニット（１００）。
【請求項２７】
前記締結ユニットは、プラスチック材料で作られることを特徴とする、請求項１〜２６のいずれか１項に記載の締結ユニット（１００）。
【請求項２８】
腰ベルト（２００）に取り付けたアダプタ（４２）と組み合わせる、請求項１〜２７のいずれか１項に記載の締結ユニット（１００）。
【請求項２９】
空気調整ユニット（１００）と組み合わせる、請求項１〜２８のいずれか１項に記載の締結ユニット（４）。
【請求項３０】
前記空気調整ユニット（１００）は、
空気供給ユニットから圧縮空気を受け取るための空気吸入コネクタ（９）と、
呼吸マスクまたは呼吸フードに接続するコネクタ（６）と、
前記空気調整ユニット（１００）の本体またはハウジング（２，３）に取り付けられ、他の部材に対する着脱可能な接続、特に、押し込み接続または摺動接続を可能にするアダプタ（４２）と、を備えることを特徴とする、請求項２９に記載の空気調整ユニット（１００）。
【請求項３１】
別の部材（１５）の各ガイドレール（１５２１）に対する摺動接続可能な、１つまたは複数の摺動スロット（４２１）を有する前記アダプタ（４２）を特徴とする、請求項３０に記載の空気調整ユニット（１００）。
【請求項３２】
前記別の部材の各摺動スロットに対して摺動接続可能な、１つまたは複数の摺動スロットを有する前記アダプタを特徴とする、請求項３０に記載の空気調整ユニット（１００）。
【請求項３３】
少なくとも１つの突出部（１５２１ｂ）が設けられ、前記突出部は、取り囲み、また、取り囲まれることを特徴とする、請求項３０に記載の空気調整ユニット（１００）。
【請求項３４】
前記締結ユニット（４）および前記ハウジング（２，３）を備える構造物は、回動可能に形成されることを特徴とする、請求項３０に記載の空気調整ユニット（１００）。
【請求項３５】
前記ハウジング（２，３）は、複数の回動角度位置において、アダプタ（１５）と係合するように形成されることを特徴とする、請求項３４に記載の空気調整ユニット（１００）。
【請求項３６】
停止接触部（４２２）を有するアダプタ（４２）が設けられ、前記アダプタが前記別の部材と摺動接続すると、前記停止接触部が、他の部材の停止接触部（１５３ｃ）を塞ぐことができることを特徴とする、請求項３０に記載の空気調整ユニット（１００）。
【請求項３７】
前記空気調整ユニット（１００）は、支持体（５）を備えることを特徴とする、請求項２９に記載の空気調整ユニット（１００）。
【請求項３８】
前記支持体（５）は、少なくとも前記支持体（５）のある部分が前記ハウジング（２，３）に対して旋回できるように取り付けられることを特徴とする、請求項３７に記載の空気調整ユニット（１００）。
【請求項３９】
旋回角度は２０°〜９０°であることを特徴とする、請求項３８に記載の空気調整ユニット（１００）。
【請求項４０】
前記旋回角度は７０°であることを特徴とする、請求項３９に記載の空気調整ユニット（１００）。
【請求項４１】
ロック要素（５２）が、前記支持体（５）の自由端の上に配置され、対応するロック要素が前記ハウジング（２，３）に配置され、前記支持体（５）が折り畳まれるとき、前記自由端（５）が、前記ハウジング（２，３）にロックされることを特徴とする、請求項３８に記載の空気調整ユニット（１００）。
【請求項４２】
前記ロック要素は、マグネットであることを特徴とする、請求項４１に記載の空気調整ユニット（１００）。
【請求項４３】
前記空気調整ユニットは、圧力表示部に接続できることを特徴とする、請求項３０〜４２のいずれか１項に記載の空気調整ユニット（１００）。
【請求項４４】
前記空気調整ユニットは、塗装用スプレーガンなど、圧縮空気で作動するツールに接続するためのコネクタ（９）を備えることを特徴とする、請求項３０〜４３のいずれか１項に記載の空気調整ユニット（１００）。
【請求項４５】
前記空気調整モジュール（１００）は、識別部材（１０）を備えることを特徴とする、請求項３１〜４４のいずれか１項に記載の空気調整ユニット（１００）。
【請求項４６】
前記空気調整ユニット（１００）の前記ハウジング（２，３）は、プラスチック材料から作られることを特徴とする、請求項３１〜４５のいずれか１項に記載の空気調整ユニット（１００）。
【請求項４７】
前記空気調整ユニット（１００）の前記ハウジング（２，３）は、２つの半体部材（２，３）から構成されることを特徴とする、請求項４６に記載の空気調整ユニット（１００）。
【請求項４８】
ベルトユニット（２００）と組み合わせる、請求項３０〜４７のいずれか１項に記載の空気調整ユニット（１００）、および／または請求項１〜２９のいずれか１項に記載の締結ユニット（４）。
【請求項４９】
前記ベルトユニット（２００）は、前記空気調整ユニット（１００）と前記締結ユニット（４）との少なくともいずれかに取り外し可能に摺動接続できる少なくとも１つのアダプタ（１５）を備えることを特徴とする、請求項４８に記載のベルトユニット（２００）。
【請求項５０】
前記ベルトユニット（２００）は、前記空気調整ユニット（１００）と前記締結ユニット（４）の両方またはいずれか一方のための解除機構（１５３）を備えることを特徴する、請求項４９に記載のベルトユニット（２００）。
【請求項５１】
少なくとも１つのガイドレール（１５２１）および少なくとも１つの停止部材（１５２２）を設けることを特徴とする、請求項４９に記載のベルトユニット（２００）。
【請求項５２】
少なくとも１つのガイド溝および少なくとも１つの停止部材を設けることを特徴とする、請求項４９に記載のベルトユニット（２００）。
【請求項５３】
少なくとも１つの支持領域（１５３，１５２１ｂ）を設けることを特徴とする、請求項４９に記載のベルトユニット（２００）。
【請求項５４】
前記解除機構（１５３）は、レバー機構（５）であることを特徴とする、請求項５０〜５４のいずれか１項に記載のベルトユニット（２００）。
【請求項５５】
前記レバー（１５３ａ）は、前記アダプタ（１５）と接続される、請求項５４に記載のベルトユニット（２００）。
【請求項５６】
前記レバー（１５３ａ）は、１本のアームを有し、前記アダプタ（１５）の一部から切り取られることを特徴する、請求項５５に記載のベルトユニット（２００）。
【請求項５７】
前記レバー（１５３ａ）は、可撓性の材料で作られることを特徴とする、請求項５５に記載のベルトユニット（２００）。
【請求項５８】
前記レバー（１５３ａ）は、ハンドル（１５３ｂ）を備えることを特徴とする、請求項５４に記載のベルトユニット（２００）。
【請求項５９】
少なくとも１つの停止面（１５３ｃ）が、前記レバー（１５３ａ）と前記ハンドル（１５３ｂ）との間に配置される、請求項５８に記載のベルトユニット（２００）。
【請求項６０】
前記ハンドル（１５３ｂ）を押して前記締結ユニット（４）の前記停止接触部（４２２）を前記レバー（１５３ａ）の前記停止面（１５３ｃ）に接触させることにより、前記解除機構（１５３）が作動し、前記空気調整ユニット（１００）を前記ベルトユニット（２００）から取り外せることを特徴とする、請求項４９〜５９のいずれか１項に記載のベルトユニット（２００）。
【請求項６１】
前記空気調整ユニット（１００）の、前記締結ユニット（４）に向き合う面にクッション（１４）を当てることを特徴とする、請求項４９〜６０のいずれか１項に記載のベルトユニット（２００）。
【請求項６２】
前記締結ユニット（４）と複数の場所で接続できることを特徴とする、請求項４９〜６１のいずれか１項に記載のベルトユニット（２００）。
【発明の詳細な説明】
【技術分野】
【０００１】
本発明は、締結ユニットに関し、特に、呼吸マスクまたは呼吸フードの使用者に、呼吸に適した空気を供給することを目的とするモジュールのための締結ユニット、およびそのようなモジュールに関する。
【背景技術】
【０００２】
圧縮空気で作動し、溶剤を用いるスプレーガンを利用する塗装分野において、いわゆる「スプレーしぶき」の発生は避けられない。これは、好ましくない量の塗料や塗料の小滴で作業範囲が汚染されることを意味し、また人体にとっても非常に有害である。よって、作業員の健康保護を図る必要性がある。呼吸フードは、頭部全体、特に、作業員の顔全体を覆うように取り付けることが好ましく、上記目的に非常に適しており、最大限の健康保護を提供する。通常、このタイプの呼吸フードには、周辺の空気とは別に、独立して、圧縮空気が提供される。そのために、通常、最初の圧縮空気が、まず始めに、一つの段階または複数段階のろ過システムを備える空気処理システムに供給される。次に、ろ過された空気は、圧縮空気ホースを通じて、通常、少なくとも１つのさらなる補助空気処理モジュールを取り付けた、腰紐または腰ベルトに供給される。ある空気処理モジュールは、活性炭吸着モジュールでもよく、別の空気処理モジュールは、空気加熱モジュールまたは空気加湿モジュールであってもよい。活性炭吸着モジュールにより、圧縮空気中に残留している可能性のある、好ましくない蒸気および気体を除去することが可能になる。空気加熱モジュールや空気加湿モジュールによって、健康や快適性への利点をさらにもたらすことができる。別の有用な実施形態では、空気調整モジュールおよび空気分配モジュールを腰紐または腰ベルトに取り付けることを提案する。全体の構成は、一般的にベルトユニットと呼ばれる。このタイプの有用なベルトユニットは、ＳＡＴＡ  ＧｍｂＨ＆Ｃｏ．ＫＧの「Ｖｉｓｉｏｎ２０００」の製品名で知られる呼吸フードと組み合わせて使用される。
【０００３】
今日では、健康保護や使い勝手の良さの確保などに対する、呼吸器保護システムの使用者の要求がより増している。一方で、構成部材の製造業者や製作者は、容易に製造、設置ができ、必要な場合は、容易に取り外しできる製品を望んでいる。
【先行技術文献】
【特許文献】
【０００４】
【特許文献１】独国実用新案第２９７０４３２８号明細書
【特許文献２】独国特許第１９８２４２６４号明細書
【特許文献３】米国特許第７３２８７００号明細書
【発明の概要】
【発明が解決しようとする課題】
【０００５】
本発明の課題は、上記問題を解決する可能な手段を提案することである。
【課題を解決するための手段】
【０００６】
この問題は、請求項１の特徴を有する締結ユニットにより解決される。本発明による締結ユニットにより、さまざまなモジュール、特に、呼吸マスクまたは呼吸フードの使用者に対して、呼吸に適した空気の供給を改善するために設計されたモジュールを、容易かつ安全に着脱することが可能になる。
【０００７】
本発明のさらなる詳細および実施形態は、以下に記載する従属請求項および図面より理解される。
【０００８】
本発明による締結ユニットは、特に、腰紐や腰ベルトに着脱する空気処理モジュールを容易に取り付け、その後、容易に取り外しできるように設計される。上記腰紐や腰ベルトは、スプレーブース内で、空気供給用の呼吸マスクまたは呼吸フードを着用する、スプレー塗装工などの作業員によって着用されるものである。
【０００９】
添付された図面は、本明細書の一部をなすもので、本発明をより詳細に説明するために提供される。図面は、明細書とともに本発明の可能な実施形態を示し、本発明の原理を説明する役割を果たす。添付された図面において、同一の機能を持つ構成要素は、同一の参照符号により特定される。
【図面の簡単な説明】
【００１０】
【図１Ａ】本発明による締結ユニット全体の斜視図である。
【図１Ｂ】本発明による締結ユニット全体の斜視図である。
【図２Ａ】締結ユニット全体の分解図である。
【図２Ｂ】締結ユニット全体の分解図である。
【図３】締結ユニットと空気調整ユニットとの取り付けを示す斜視図である。
【図４Ａ】空気調整ユニットと組み付けた締結ユニットを示す斜視図である。
【図４Ｂ】空気調整ユニットと組み付けた締結ユニットを示す斜視図である。
【図５Ａ】腰ベルトと組み合わせた図４Ａのアセンブリにおける、５つの異なる位置のうち１つを示す図である。
【図５Ｂ】腰ベルトと組み合わせた図４Ａのアセンブリにおける、５つの異なる位置のうち１つを示す図である。
【図５Ｃ】腰ベルトと組み合わせた図４Ａのアセンブリにおける、５つの異なる位置のうち１つを示す図である。
【図５Ｄ】腰ベルトと組み合わせた図４Ａのアセンブリにおける、５つの異なる位置のうち１つを示す図である。
【図５Ｅ】腰ベルトと組み合わせた図４Ａのアセンブリにおける、５つの異なる位置のうち１つを示す図である。
【図６】図４Ａおよび図５Ａ〜図５Ｅの構造物を腰ベルトに取り付けるための、取り付け方向を示す概略図である。
【図７Ａ】本発明による締結ユニットに接続された空気調整ユニットの前方部を示す斜視図である。
【図７Ｂ】図７Ａの空気調整ユニットの後方側を示す斜視図である。
【図８Ａ】空気調整ユニットのアセンブリを示す部分分解斜視図である。
【図８Ｂ】図８Ａのアセンブリ図の別の側面を示す分解斜視図である。
【図９Ａ】空気調整ユニットの締結ユニットを示す斜視図である。
【図９Ｂ】締結ユニットを別の側面から示す斜視図である。
【図１０】空気調整ユニットを備える締結ユニットを腰ベルトに締結する状況を示す概略斜視図である。
【図１１】空気調整ユニットを備える締結ユニットを腰ベルトから取り外す状況を示す概略斜視図である。
【発明を実施するための形態】
【００１１】
本明細書の一部をなし、本発明によって実現可能な構成を例として示す図面を参照することにより、以下の詳細な記載が理解されるであろう。図面において、上面、底面、内面、外面などの方向に関する情報は、描かれた図面を参照して理解されるであろう。本発明の実施形態の構成要素は、複数の異なる方向で形成することができ、つまり、方向に関する情報は、説明のためのみに用いられ、いかなる限定を暗示するものではない。明細書は、異なる実施形態が可能であるとも理解されるべきであり、構造的または必然的な改良は、本発明の範囲によって認められるという前提に基づく。これにより、以下の詳細な記載は、限定を暗示するために理解されないことを意味する。以下に記載される異なる実施形態の特徴は、特にそうでないことが明記されない限りは、互いに組み合わせることができることは明白である。
【００１２】
図１Ａ、１Ｂおよび図２Ａ、２Ｂに示すように、本発明による締結ユニット１００は、第１構成部材１と、第２構成部材２と、第１頭部および第１中空ねじ延長部を有する第１ねじ３と、ばね４と、ならびに第２頭部および第２ねじ延長部を有する第２ねじ５とを備える。
【００１３】
第１構成部材１は、図２Ａおよび２Ｂに示すように、ほぼ円筒形状であって、第１表面と、この第１表面の反対に配置される第２表面とを有する第１基材１０を備える。中央貫通孔１１が第１基材１０を貫通する。六角形枠１２が中央貫通孔１１の周りに配置され、第１表面に配置される。外向き突出部１３および１６に加え、第２表面に配置される止め具１４およびロック溝１５により、第１構成部材１が画定される。
【００１４】
図２Ａおよび２Ｂに示すように、第２構成部材２は、第１表面と、この第１表面の反対に配置される第２表面とを有する第２基材２０を備える。第１中空突出部２１が、第１表面から外側へ突出し、第２基材２０を貫通する。さらに、第２突出部２２があり、その直径は第１突出部２１の直径より大きいが、高さは第１突出部２１の高さより低く、第２突出部２２は第１突出部２１を取り囲んでいる。第１構成部材１のロック溝１５と係合可能な２本のロックピン２３を第１突出部２１のために設け、第２構成部材２を特定の係合位置にロックさせる。締結部２４は、例えば、空気調整モジュールなどの、モジュールの締結孔に挿入可能であり、一体となって、他の構成要素または対象物と締結される。
【００１５】
さらに、図２Ａおよび２Ｂに示すように、第２突出部２２は、第１部分２２１および第２部分２２２を備え、第１突出部２１の外周壁上にある第１部分２２１の内周壁および第２部分２２２の内周壁および第１突出部２１の外周壁が、止め具１４を収容するガイド溝２５を画定する。第１部分２２１、第２部分２２２、第１突出部２１、および止め具１４は互いに連係し、第２構成部材２は、第１構成部材に対して所定の角度で回動可能である。ここでの所定角度は１８０°未満である。
【００１６】
図１Ａ、１Ｂおよび図２Ａ、２Ｂに示すように、第１構成部材１が配置される側から、第１ねじ３が貫通孔１１に挿入され、次に第１突出部２１の中空部分に続けて挿入される。続いて、第２構成部材２が配置される側から、第２ねじ５が挿入されているばね４を、組み付けられた第１突出部２１の中空部分に差し込むと、第１ねじ３の第１中空ねじ延長部が、第２ねじ５の第２中空ねじ延長部を収容し、ばね４は、第１ねじ３の第１ねじ延長部を取り囲む。さらに、第１ねじ３の頭部とばね４の間に、シールも設けられる。第１構成部材１と第２構成部材２とが次のように組み付けられる。すなわち、第１構成部材１の止め具１４が第２構成部材２のガイド溝２５に収容され、第２構成部材２のロックピン２３が第１構成部材１のロック溝１５の所定位置にロックされる。
【００１７】
また、図２Ａに示すように、５つのロック溝が第１基材１０の第２表面上部に形成され、さらなる５つのロック溝が第１基材１０の第２表面下部に形成され、これらのロック溝は中央貫通孔１１の中心軸を中心に対称に配置される。さらに、第２構成部材２のガイド溝２５と一致するように、下部表面の上記５つのロック溝は、第２表面により画定される周縁領域と一致するように整列される。
【００１８】
上記構成の締結ユニット１００では、ばね４の伸長の結果、第２構成部材２のロックピン２３が第１構成部材１のロック溝１５と連係する場合では、第２構成部材２は回動可能である。第２構成部材２のロックピン２３は、別のロック溝１５とも係合可能であり、これにより、第２構成部材２が、第１構成部材１と複数の位置において係合することができる。また、第２突出部２２の第１部分２２１の内周壁は、第１突出部２１の外周壁に近く、ガイド溝２５は、第２部分２２２の内周壁と第１突出部２１の外周壁との間にあるため、第１構成部材１の止め具１４はガイド溝２５内を移動可能であり、かつ、第１構成部材１に対する第２構成部材２の回動可能な角度範囲が制限され、締結ユニット１００に取り付けられたさらなる補助モジュールが好ましくない位置へ回動することを防止する。
【００１９】
上記のとおり、第２構成部材２が第１構成部材１に対して５つの係合位置を有するように、対称な５対のロック溝が第１構成部材１に形成される。図５Ａ〜５Ｅから理解されるように、第２構成部材は、第１構成部材に対して、約２２．５°、−２２．５°、４５°、および−４５°回動可能であり、それぞれの位置で所定位置にロック可能である。
【００２０】
図２Ａおよび２Ｂに示すように、締結部２４は、第３中空部分２４１および第４中空部分２４２を備え、第３部分２４１は、第１突出部２１と同一の表面に配置される。第２基材２０には、第４部分２４２が、第２基材２０の第１突出部２１とは反対側の表面に配置される。
【００２１】
さらに、図２Ａ、２Ｂ、および図３にも示すように、第４部分２４２は、さらなる補助モジュールとして用いられる空気調整ユニット１の締結孔に挿入可能である。第４中空部分２４２の一部および第３部分２４１の中空部分に、第２構成部材２のナットを備える側からねじを挿入することにより、図４Ａおよび図４Ｂに示すように、締結ユニット１００と空気調整ユニット１とが互いに取り付けられる。
【００２２】
また、図２Ｂに示すように、第３部分２４１は六角形状であるため、ナットは第３部分２４１と一致するように形成されてもよく、六角形状であってもよい。
【００２３】
または、図示していないが、第２構成部材は、さらなる補助モジュールの締結手段を収容するための少なくとも１つの締結孔を有していてもよく、この少なくとも１つの締結孔は第２基材を貫通することが好ましい。
【００２４】
さらに、図２Ｂに示すように、枠１２の六角形状と一致する第１ねじ３の頭部は、六角形の断面を有し、第１ねじ３の六角形頭部を枠１２に押し込むことができる。
【００２５】
または、図示していないが、第２ねじ５の頭部は、枠１２の六角形の内側形状に一致する円形の外形であってもよい。
【００２６】
締結ユニット１００はプラスチック材料で作られることが好ましい。
【００２７】
締結ユニット１００は、空気調整ユニット１、または別のユニットもしくはモジュールを、腰紐や腰ベルト２００に取り付けるのに非常に適している。図６に示すように、空気調整ユニット１は、締結ユニット１００とともに上から滑り込ませることにより、腰ベルト２００のアダプタ４２に取り付けることができる。したがって、締結ユニットの第１構成部材１の突出部１３，１６は、アダプタ４２に沿って摺動する。第１構成部材の突出部がアダプタのタブに押しつけられるため、空気調整ユニット１の上下運動が制限される。
【００２８】
上記の説明は、図１〜図６に示す実施例について説明したものである。
【００２９】
次に、本発明を、空気調整ユニットとも組み合わせた締結ユニットの別の説明に基づき、図７〜図１１を参照して、再びさらに詳しく説明する。
【００３０】
図７に示す空気調整ユニット１００は、空気調整ユニット１００のハウジングを形成する第１半体シェル２と第２半体シェル３とを備える。２つの半体シェル２および３は、接続線３００に沿って互いに接続される。この場合、着脱可能な接続でも、着脱できない接続でもよい。接続の方法としては、クリップを用いた接続、接着剤による接続、または溶着による接続などがある。締結ユニット４は、空気調整ユニット１００を腰ベルト２００に取り付けるために用いられ、ハウジング２および３のうち第１半体シェル２と接続される。接続は、着脱可能でも着脱できなくてもよい。本実施例では、半体シェル２は、着脱可能に締結ユニット４に接続される。
【００３１】
空気調整ユニット１００には空気吸入コネクタ７が取り付けられ、この空気吸入コネクタ７により、外部圧縮空気供給システムから空気調整ユニット１００に圧縮空気を供給することができる。呼吸マスクまたは呼吸フードに通じるホースなどに用いるコネクタ６は、ハウジング２および３の空気吸入コネクタ７が配置されるのと同じ側に配置されるが、空気吸入コネクタ７よりも高い位置に配置される。また、コネクタ９は、空気調整ユニット１００とは別側に配置される。このコネクタは、塗装用スプレーガンなどの圧縮空気で作動するツールに通じており、圧縮空気はホースを介して塗装用スプレーガンなどに供給される。呼吸マスクまたは呼吸フードに通じる空気圧力を調節可能な調整器８が、コネクタ９と同じ面に配置されるが、このコネクタよりも高い位置に配置される。安全面の理由から、調整器８が「最小」に設定される場合でも、調整器８は、空気調整ユニット１００が常に所定圧力の空気を呼吸マスクまたは呼吸フードへ確実に供給するように形成される。
【００３２】
空気調整ユニット１００を使用しない場合には、呼吸マスクもしくは呼吸フードと接続するコネクタ６と、スプレーガンと接続するコネクタ９との両方またはどちらかを必要に応じてふさぎ板などで閉じてもよい。
【００３３】
空気調整ユニット１００は、好ましくは、圧力表示部（図示せず）に接続されてもよい。
【００３４】
好ましい実施形態において、図７Ａ、８Ａおよび８Ｂなどにさらに詳しく示すように、空気調整ユニット１００の第２半体シェル３に、折り畳み可能または回動可能な、支持体５が取り付けられ、スプレーガンまたは呼吸マスクもしくは呼吸フードを使用しない場合、この支持体５によってスプレーガンや呼吸用空気供給ホースを支持可能である。図８Ｂに示すように、２本のアームを有する支持体５の第１アームは、ねじ１１を用いて、空気調整ユニット１００に取り付けられる。支持体５の別のアーム、つまり第２アームは、第１アームにヒンジで取り付けられるが、他方は自由端である。第２アームは、空気調整ユニット１００に対して、回動可能である。
【００３５】
図８Ａに示すように、支持体５の第２アームは、２０°〜９０°、好ましくは７０°の角度で回動可能である。また、好ましくはマグネットなどの第１ロック要素５２は、支持体５の第２アームの自由端に配置される。ロック要素５２は、空気調整ユニット１００に配置される第２ロック要素（好ましくは、マグネット）と連係する。本実施例においては、第２ロック要素は、支持体５の第１アームの非自由端上部に配置される円板座部５１の領域に取り付けられる。つまり、折り畳まれた状態の支持体５は、使用しない場合、空気調整ユニット１００に確実に支持される。また、図７Ａおよび７Ａに示すように、ハウジングの第２半体シェル３に、段付きの下向き溝３１が形成される。折り畳んだ状態の第２アームが、上端部のタブ５００を除き、溝３１と同一平面になるように溝３１の寸法が支持体５に適合される。
【００３６】
図８Ａおよび８Ｂはそれぞれ、空気調整ユニット１００の締結ユニット４の正面図および背面図を示す。締結ユニット４は、空気調整ユニット１００のハウジングの第１半体シェル２を腰ベルト２００の一部であるアダプタ１５に接続するのに適した接続要素４１および４２を備える。
【００３７】
図８Ａおよび８Ｂに示すように、本実施例において、締結ユニット４の第１接続要素４１は、ほぼ楕円形状であり、２つの中空突出部４１１を備える。これらの中空突出部４１１は、接続要素４１の上部および下部に配置され、空気調整ユニットのハウジングの第１半体シェル２の方向へ突出する。締結孔４１２が各突出部４１１に形成される。第１半体シェル２は相補的な締結孔を備え、この締結孔に突出部４１１を挿入できる。図８Ｂに示すように、ねじ１１が用いられる。ねじ１１は、支持体５の第１アームの上部および底部に配置される円板座部５１に形成される締結孔５３を通過し、続いて、空気調整ユニット１００のハウジングの第１半体シェル２の締結孔から第２半体シェル３の締結孔を通過する。締結ユニット４は、ボルト１２を使って、突出部４１１に取り付けられる。より確実に取り付けるため、ねじなどに用いるボルト座部４１３が設けられる。
【００３８】
図９Ｂに示すように、２つの摺動スロット４２１が、締結部材４のアダプタ領域４２に設けられる。アダプタ領域４２は円形状である。停止接触部４２２は、アダプタ領域４２の上部側に位置するアダプタ領域４２の円周面から外側へ突出する。アダプタ４２の中心近くの円領域から突出する、２つの並行突出部４２１ｂは、２つの摺動スロット４２１のうちの１つの内壁４２１ａの上部表面を形成する。本発明による上記構成を用いて、空気調整ユニット１００を腰ベルト２００に接続することが可能である。
【００３９】
図１０および１１に示す腰ベルト２００は、クション１４を当てた内向き面を有する腰紐１３を備える。腰紐１３の外向き面には、空気調整ユニット１００の締結ユニット４のためのアダプタ１５が配置される。
【００４０】
アダプタ１５は、保持板１５１と、保持板１５１により支持される締結板１５２と、解除機構１５３とを備える。アダプタ１５は、２本のガイドレール１５２１を備え、その位置と形状は、締結部材４のアダプタ領域４２の２つの摺動スロット４２１と一致するように調整される。停止部材１５２２は、２本のガイドレール１５２１の下端部をつないでいる。したがって、停止部材１５２２と２本のガイドレール１５２１とが略Ｕ字を形成する。各ガイドレール１５２１は、締結板１５２から突出するフィン１５２１ａを備える。２つのフィン１５２１ａは、腰紐１３の長手方向に沿って締結板１５２上に配置され、腰紐１３の幅方向に沿って互いに並行に延びる。各フィン１５２１ａの上部には、腰紐の長手方向から外側に突出する突出部１５２１ｂがある。締結板１５２において、各突出部１５２１ｂが、締結部材４のアダプタ領域４２における摺動スロット４２１のためのガイドまたはブラケットを画定する。
【００４１】
解除機構１５３は、１本のアームを有するレバー１５３ａと、このレバー１５３ａに接続されるハンドル１５３ｂとを備える。図１０に示すように、レバー１５３ａは、締結板１５２の上部のくぼみに配置される。レバー１５３ａは、比較的、可撓性のある材料で作られ、圧力がハンドル１５３ｂにかかると、確実に変形可能である。本実施例では、レバー１５３ａが１つの部品として締結板１５２と一体形成され、締結板１５２から切り取られる。ハンドル１５３ｂは、１つの部品としてレバー１５３ａの上端部と一体形成される。本実施例では、ハンドル１５３ｂの表面は、レバーの表面よりも大きいため、ハンドル１５３ｂとレバー１５３ａとの間に停止面１５３ｃが形成される。
【００４２】
図１０は、空気調整ユニット１００が、腰ベルトに取り付けられたアダプタ１５を用いて、どのように締結ユニット４のアダプタ領域４２にある腰ベルト２００に締結され、その後、どのように解除されるかをより詳しく示す。アダプタ１５の締結板１５２にあるガイドレール１５２１を適切に整列させると、空気調整ユニット１００を矢印１（図１０）の方向である下向きに動かす下方向圧力により、ガイドレール１５２１を締結ユニット４のアダプタ領域４２の摺動スロット４２１へ挿入することができる。これにより摺動スロット４２１の突出部４２１ｂとガイドレール１５２１の突出部１５２１ｂが互いに噛み合い、空気調整ユニット１００が腰ベルト２００に確実に締結される。アダプタ１５の停止部材１５２２は、下方向への摺動運動を制限することにより、空気調整ユニット１００が意図せずに落下することを防止する。締結ユニット４の停止接触部４２２の上端部は、アダプタ１５の解除機構１５３の停止面１５３ｃが、意図せずに空気調整ユニット１００と接触することを防止する。
【００４３】
図１１に示すように、空気調整ユニット１００は、腰ベルト２００から簡単に取り外すことができる。ハンドル１５３ｂを矢印１の方向（図１１）、つまり、腰ベルト２００の着用者に向かって押すと、締結ユニット４の停止接触部４２２がレバー１５３ａの停止面１５３ｃと接触し、解除機構１５３が作動し、空気調整ユニット１００は、矢印２の方向である上方向に動かすことによって取り外すことができる（図１１）。
【００４４】
上記実施形態では、締結ユニット４のアダプタ領域４２内の摺動スロット４２１および腰ベルト２００のアダプタ１５にあるガイドレール１５２１の一例のみを説明して示したが、摺動スロットをアダプタに配置し、ガイドレールを締結ユニットに配置することも可能である。同様に、他の種類の摺動接続もしくは押し込み接続、または、クリップやスナップを用いた接続など、取り外し可能な他の接続方法を用いることも可能である。
【００４５】
図９Ａおよび９Ｂに示すように、締結ユニット４のアダプタ４２および接続要素４１は、薄型の六角ナット４３とねじ４４を用いて互いに接続される。アダプタ４２が接続要素４１に接続されるため、空気調整ユニット１００（または締結ユニット４に取り付けられる別のモジュール）は、腰ベルト２００に対して回動可能である（先述の実施例、図５Ａ〜５Ｅ参照）。これは使用者の快適性をさらに高める一因となる。
【００４６】
さらに、図７Ａおよび７Ｂに示すように、空気調整ユニット１００には、カラーコードシステムディスク１０（ＣＣＳディスク）が取り付けられる。本実施例においては、空気調整ユニット１００のハウジング２および３の上部表面に円形のくぼみが形成され、このくぼみに円形のカラーコードシステムディスク１０をクリップで留めることができる。
【００４７】
各空気調整ユニット１００は、異なる色のカラーコードシステムディスク１０を用いることによって、個人別に識別することができる。また、そうすることにより、それぞれの空気調整ユニットを個人の呼吸マスクや呼吸フードに用いることも容易になる。他の種類の締結手段およびカラーコードシステムの形態を用いることも、もちろん可能である。
【００４８】
言うまでもなく、カラーコードシステムディスク以外の識別手段を用いることも可能である。いくつかの識別手段を用いれば、呼吸器保護システムの安全性を一層、向上させることができる。
【００４９】
空気調整ユニット１００の全ての部材またはサブエレメントはプラスチック材料で作られることが好ましい。別の可能な実施形態では、ハウジングの２つの半体シェル２および３は、異なる色であってもよい。半体シェルの色と、腰ベルトやアダプタ１５の色とを同じにすることにより、組み付けの際の間違いをほぼ完全に無くすことができる。
【００５０】
本発明の別の実施形態によれば、本発明に記載されるアダプタは、腰ベルトの複数の場所に配置される。これにより、空気加熱モジュール、空気加湿モジュール、または、活性炭吸着モジュールなどの、種類が同じまたは異なる複数の空気清浄ユニットを速やかに腰ベルトに取り付けることができる。これらの複数の空気清浄ユニットには、本発明による締結ユニットが取り付けられるか、上記空気調整ユニットと同一または類似する構成がハウジング領域に形成される、またはその両方である。
【００５１】
使用者が腰ベルトを着用したときに、使用者の腰の左側および右側に位置する２箇所を選ぶことが推奨される。こうすることにより、使用者が空気清浄ユニットを一方から他方からへ切り替えることが可能になり、右利きの人および左利きの人ともにベルトユニットを容易に使用することができる。
【００５２】
最後に、上記内容は全て、単に本発明の好ましい実施形態を記載したに過ぎず、本発明は、これらの実施形態に限定されないことをもう一度強調する。当業者であれば、その他の変形例や設計変更が思いつく可能性がある。本発明の精神の範囲内に含まれ、本発明の原理に基づく、設計変更、均等物との置換、および改良は、全て本発明の保護の範囲に含まれるものとする。
【図１Ａ】
2017534310.tif 000003
【図１Ｂ】
2017534310.tif 000004
【図２Ａ】
2017534310.tif 000005
【図２Ｂ】
2017534310.tif 000006
【図３】
2017534310.tif 000007
【図４Ａ】
2017534310.tif 000008
【図４Ｂ】
2017534310.tif 000009
【図５Ａ】
2017534310.tif 000010
【図５Ｂ】
2017534310.tif 000011
【図５Ｃ】
2017534310.tif 000012
【図５Ｄ】
2017534310.tif 000013
【図５Ｅ】
2017534310.tif 000014
【図６】
2017534310.tif 000015
【図７Ａ】
2017534310.tif 000016
【図７Ｂ】
2017534310.tif 000017
【図８Ａ】
2017534310.tif 000018
【図８Ｂ】
2017534310.tif 000019
【図９Ａ】
2017534310.tif 000020
【図９Ｂ】
2017534310.tif 000021
【図１０】
2017534310.tif 000022
【図１１】
2017534310.tif 000023
【国際調査報告】
2017534310.tif 000024
2017534310.tif 000025
2017534310.tif 000026
2017534310.tif 000027
2017534310.tif 000028
2017534310.tif 000029
2017534310.tif 000030
2017534310.tif 000031
2017534310.tif 000032
2017534310.tif 000033
2017534310.tif 000034
2017534310.tif 000035
2017534310.tif 000036
2017534310.tif 000037